(57)【要約】【課題】輪列等に損傷を与えることなくぜんまいを解き得るぜんまい解け規正機構並びに該機構を備えた香箱構造体、ムーブメント及び機械式時計の提供。【解決手段】機械式時計４のぜんまい解け規正機構１は、香箱真２２と一体的に回転されるラチェット車４０であって複数のラチェット歯を備えたもの４０と、第一及び第二の爪５５，５４を備え第一の動作位置Ｐ１と第二の動作位置Ｐ２との間で可動であり第一及び第二の動作位置のうちのいずれか一方の動作位置を採る爪構造体５０であって、第一の動作位置Ｐ１を採る際に第一の爪５５がラチェット歯４１と係合してぜんまいの解け方向のラチェット車４０の回転を規正し、第二の動作位置Ｐ２を採る際に第二の爪５４がラチェット歯４１と係合してぜんまいの解け方向のラチェット車４０の回転を規正するもの５０とを有する。ぜんまいの巻上げ方向のラチェット車の回転は許容される。【選択図】図１
2013178157.tif 000002
【特許請求の範囲】
【請求項１】
香箱真に取付けられて該香箱真と一体的に回転されるラチェット車であって複数のラチェット歯を備えたものと、
第一及び第二の爪を備え第一の動作位置と第二の動作位置との間で可動であり前記第一及び第二の動作位置のうちのいずれか一方の動作位置を採る爪構造体であって、前記第一の動作位置を採る際に前記第一の爪が前記ラチェット車のラチェット歯と係合してぜんまいの解け方向の前記ラチェット車の回転を規正し、前記第二の動作位置を採る際に前記第二の爪が前記ラチェット車のラチェット歯と係合して前記ぜんまいの解け方向の前記ラチェット車の回転を規正するものとを有し、
前記爪構造体が前記第一及び第二の動作位置のうちのいずれの動作位置にある場合でも、前記ぜんまいの巻上げ方向の前記ラチェット車の回転を許容するように構成されたぜんまい解け規正機構。
【請求項２】
前記ラチェット車が外周面に径方向外向きに突出したラチェット歯を有する請求項１に記載のぜんまい解け規正機構。
【請求項３】
前記爪構造体は、回動中心軸線のまわりで回動可能に支持基板に取付けられ、前記支持基板に対して一方の向きに回動された際に第一の爪が前記ラチェット車のラチェット歯と係合して前記ぜんまいの解け方向の前記ラチェット車の回転を規正する第一の動作位置を採り、前記支持基板に対して他方の向きに回動された際に第二の爪が前記ラチェット車のラチェット歯と係合して前記ぜんまいの解け方向の前記ラチェット車の回転を規正する第二の動作位置を採る請求項１又は２に記載のぜんまい解け規正機構。
【請求項４】
前記爪構造体は、並進移動可能に支持基板に取付けられ、前記支持基板に対して一方の向きに並進移動された際に第一の爪が前記ラチェット車のラチェット歯と係合して前記ぜんまいの解け方向の前記ラチェット車の回転を規正する第一の動作位置を採り、前記支持基板に対して他方の向きに並進移動された際に第二の爪が前記ラチェット車のラチェット歯と係合して前記ぜんまいの解け方向の前記ラチェット車の回転を規正する第二の動作位置を採る請求項１又は２に記載のぜんまい解け規正機構。
【請求項５】
前記ラチェット車が三つ以上のラチェット歯を周方向に等間隔に備える請求項１から４までのいずれか一つの項に記載のぜんまい解け規正機構。
【請求項６】
前記ぜんまい解け規正機構が香箱構造体に対して着脱可能である請求項１から５までのいずれか一つの項に記載のぜんまい解け規正機構。
【請求項７】
請求項１から６までのいずれか一つの項に記載のぜんまい解け規正機構を有する香箱構造体。
【請求項８】
請求項１から６までのいずれか一つの項に記載のぜんまい解け規正機構を有するムーブメント。
【請求項９】
請求項１から６までのいずれか一つの項に記載のぜんまい解け規正機構を有する時計。
【発明の詳細な説明】
【技術分野】
【０００１】
本発明はぜんまい解け規正機構並びに該機構を備えた香箱構造体、ムーブメント及び機械式時計に係わる。
【背景技術】
【０００２】
機械式時計においてぜんまいをエネルギ源とすることは周知である（例えば、特許文献１）。また、機械式時計の香箱構造体において、こはぜによって香箱の逆転を防止することも周知である（例えば、特許文献２）。
【０００３】
機械式時計のムーブメントを修理する際、ぜんまいを完全に解くために角穴ねじのドライバー等工具係合溝にドライバーを噛み合わせた状態で、香箱の逆回転を防止するこはぜをロック解除位置まで移動させ、ドライバーの把持を緩めて、角穴ねじのねじ溝にかみ合わせたドライバーがぜんまいが解ける方向にゆっくり回転するのを許容する。この時角穴ねじの工具係合溝からドライバーが誤って外れたりするとぜんまいが瞬間的に解けるが、この時に大きなトルク衝撃が輪列にかかることで歯車の歯が変形したり歯が折れてしまって実際上動作不能になる虞れがあるだけでなく、輪列のスムーズな回転が妨げられたり時刻指示がくるったりする虞れもある。
【０００４】
上記事態の生起を避けるためにぜんまいに近接して位置する歯車の歯の強度を高めるべく歯の形状を大きくすると部品サイズが大きくなるのでレイアウト上の制約が発生する。また、強度向上のために材料として高強度のものを使用しようとすると、切削等の加工の難易度が高くなったり材料コストが高くなるので、製造面やコスト面の制約が発生する。
【先行技術文献】
【特許文献】
【０００５】
【特許文献１】特開２００８−１１１８０２号公報
【特許文献２】特開２００２−３５０５６１号公報
【特許文献３】実公昭６３−４４７７７号公報
【発明の概要】
【発明が解決しようとする課題】
【０００６】
本発明は、前記諸点に鑑みなされたものであって、その目的とするところは、輪列等に損傷を与えることなくぜんまいを解き得るぜんまい解け規正機構並びに該機構を備えた香箱構造体、ムーブメント及び機械式時計を提供することにある。
【課題を解決するための手段】
【０００７】
本発明のぜんまい解け規正機構は、前記目的を達成すべく、香箱真に取付けられて該香箱真と一体的に回転されるラチェット車であって複数のラチェット歯を備えたものと、第一及び第二の爪を備え第一の動作位置と第二の動作位置との間で可動であり第一及び第二の動作位置のうちのいずれか一方の動作位置を採る爪構造体であって、第一の動作位置を採る際に第一の爪がラチェット車のラチェット歯と係合してぜんまいの解け方向のラチェット車の回転を規正し、第二の動作位置を採る際に第二の爪がラチェット車のラチェット歯と係合してぜんまいの解け方向のラチェット車の回転を規正するものとを有し、爪構造体が第一及び第二の動作位置のうちのいずれの動作位置にある場合でも、ぜんまいの巻上げ方向のラチェット車の回転を許容するように構成される。
【０００８】
本発明のぜんまい解け規正機構では、「爪構造体が第一の動作位置を採る際に該爪構造体の第一の爪がラチェット車のラチェット歯と係合してぜんまいの解け方向のラチェット車の回転を規正し、爪構造体が第二の動作位置を採る際に該爪構造体の第二の爪がラチェット車のラチェット歯と係合してぜんまいの解け方向のラチェット車の回転を規正する」ので、こはぜが開放位置（ロック解除位置）に設定された際に、爪構造体が第一及び第二の動作位置のうちのいずれの動作位置にある場合であっても、該動作位置で働く爪（第一又は第二の爪）によってラチェット車の回転を規正し得るから、こはぜが開放位置（ロック解除位置）に設定された際にぜんまいが短時間で解けてしまう虞れがない。すなわち、本発明のぜんまい解け規正機構がある場合、ドライバーの如き工具を角穴車の工具係合穴に係合させてぜんまいを解くときに要求されるような作業者の技量ないし熟練を要しない。
【０００９】
また、本発明のぜんまい解け規正機構では、「爪構造体が第一の動作位置を採る際に該爪構造体の第一の爪がラチェット車のラチェット歯と係合してぜんまいの解け方向のラチェット車の回転を規正し、爪構造体が第二の動作位置を採る際に該爪構造体の第二の爪がラチェット車のラチェット歯と係合してぜんまいの解け方向のラチェット車の回転を規正する」ので、爪構造体が第一及び第二の動作位置のうちのいずれか一方の動作位置から他方の動作位置に設定されるのに応じて、ラチェット車がラチェット歯の一歯分だけ回転してぜんまいが解けることになるから、爪構造体を所望の速さで第一及び第二の動作位置の間に往復動させることにより、ぜんまいの解けを爪構造体の往復動により制御された速さで行わせ得、輪列等に損傷を与えることなくぜんまいを解き得る。
【００１０】
従って、本発明のぜんまい解け規正機構がある場合、歯車の材料として強度の高い高価で加工し難い材料敢えて使ったり機械的強度の高い形状（厚さ及び平面形状）を敢えて採用する必要性がなくなるので、例えば、小モジュール歯形のような伝達効率の高い歯形のものを採用し易くなる。
【００１１】
更に、本発明のぜんまい解け規正機構では、「爪構造体が第一及び第二の動作位置のうちのいずれの動作位置にある場合でも、ぜんまいの巻上げ方向のラチェット車の回転を許容するように構成されている」ので、ラチェット車及び爪構造体がぜんまいの巻上げに影響を及ぼすこともない。
【００１２】
本発明のぜんまい解け規正機構では、典型的には、ラチェット車が外周面に径方向外向きに突出したラチェット歯を有する。
【００１３】
その場合、爪構造体が、ラチェット車の外周のうち直径方向の反対側に位置するラチェット歯に対面するように第一及び第二の爪を備えることにより、上述の動作を行わせ得る。
【００１４】
本発明のぜんまい解け規正機構では、典型的には、
（１）爪構造体は、回動中心軸線のまわりで回動可能に支持基板に取付けられ、支持基板に対して一方の向きに回動された際に第一の爪がラチェット車のラチェット歯と係合してぜんまいの解け方向のラチェット車の回転を規正する第一の動作位置を採り、支持基板に対して他方の向きに回動された際に第二の爪がラチェット車のラチェット歯と係合してぜんまいの解け方向のラチェット車の回転を規正する第二の動作位置を採るか、又は
（２）爪構造体は、並進移動可能に支持基板に取付けられ、支持基板に対して一方の向きに並進移動された際に第一の爪がラチェット車のラチェット歯と係合してぜんまいの解け方向のラチェット車の回転を規正する第一の動作位置を採り、支持基板に対して他方の向きに並進移動された際に第二の爪がラチェット車のラチェット歯と係合してぜんまいの解け方向のラチェット車の回転を規正する第二の動作位置を採る。
【００１５】
ここで、支持基板は時計本体（ムーブメント）に対して静置された一番受や地板の如き静置基板である。
【００１６】
前者の場合、爪構造体を第一及び第二の動作位置の間で往復回動させるだけで、ぜんまいを解き得、該往復回動の速さを所望に応じて選択することにより、該所望の速さでぜんまいを解き得る。従って、ぜんまいが解ける際に輪列等に損傷を与える虞れを最低限に抑え得る。
【００１７】
後者の場合、爪構造体を第一及び第二の動作位置の間で往復並進（並進的に往復動）させるだけで、ぜんまいを解き得、該往復並進の速さを所望に応じて選択することにより、該所望の速さでぜんまいを解き得る。従って、ぜんまいが解ける際に輪列等に損傷を与える虞れを最低限に抑え得る。
【００１８】
なお、所望ならば（構造が多少なりとも複雑化し易いけれども）、爪構造体は、一軸のまわりの回動（往復回動）又は一方向の並進（往復並進）の代わりに往復揺動ないし曲線に沿った往復動を行うようになっていてもよい。
【００１９】
本発明のぜんまい解け規正機構では、典型的には、ラチェット車が三つ以上のラチェット歯を周方向に等間隔に備える。
【００２０】
その場合、ラチェット車が一回転のうちの数分の一だけ回る毎に（ラチェット歯の数をＮとすると１／２Ｎ回転する毎に）、ラチェット車が爪構造体によって係止され得るから、輪列が過度に高速で回転されて係止される際のトルク衝撃が大きくなる虞れを最低限に抑え得る。
【００２１】
なお、ラチェット歯の数は、三つ未満（二つ又は一つ）でもよいが、三つ以上であることが好ましく、三つ以上であれば、三つでも、四つでも、五つでもそれ以上でもよい。なお、一方向の回転を許容し得るように且つ逆方向の回転を係合により確実に規正し得る限り、歯の数は多くてもよいけれども、過度に多くなると、逆回転の規正が確実には行われ難くなったり、一回あたりの回転角が過度に小さくなってぜんまいを解くに要する操作時間が過度に長くなるので、例えば、ラチェット歯の数は一桁であることが好ましい。
【００２２】
本発明のぜんまい解け規正機構は、香箱構造体に対して着脱可能であってもよい。
【００２３】
その場合、修理の際であってぜんまいを解く必要がある場合にのみぜんまい解け規正機構を香箱構造体に組付けて、ぜんまいの解けを規正し、修理が終わったら、取外すことにより、機械式時計のムーブメントをコンパクトにしておくことが可能になる。但し、ぜんまい解け規正機構が香箱構造体に組み込まれていてもよい。ここで、香箱構造体とは、一番受の如き受部材に香箱車及び角穴車を組み込んだものをいう。
【００２４】
本発明の香箱構造体は、前記目的を達成すべく、上述のようなぜんまい解け規正機構を有する。
【００２５】
また、本発明のムーブメントは、前記目的を達成すべく、上述のようなぜんまい解け規正機構を有する。
【００２６】
更に、本発明の機械式時計は、前記目的を達成すべく、上述のようなぜんまい解け規正機構を有する。
【図面の簡単な説明】
【００２７】
【図１】本発明の好ましい一実施例のぜんまい解け規正機構を備えた香箱構造体を具備するムーブメントを有する本発明の好ましい一実施例の機械式時計の一部を示したもので、（ａ）は平面説明図、（ｂ）は断面説明図。
【図２】図１のぜんまい解け規正機構の動作を示したもので、（ａ）〜（ｆ）は一連の解け動作の初期状態から一周期分を順に示した説明図。
【図３】図１のぜんまい解け規正機構がある状態におけるぜんまい巻上動作を示したもので、（ａ）〜（ｆ）は一連の巻上げ動作の初期状態から一周期分を順に示した説明図。
【図４】本発明の別の好ましい一実施例のぜんまい解け規正機構としてラチェット車の歯数が三つである場合において図２と同様なぜんまい解け規正機構の動作を示したもので、（ａ）〜（ｆ）は一連の解け動作の初期状態から一周期分を順に示した説明図。
【図５】本発明の更に別の好ましい一実施例のぜんまい解け規正機構としてラチェット車の歯数が四つである場合において図２と同様なぜんまい解け規正機構の動作を示したもので、（ａ）〜（ｆ）は一連の解け動作の初期状態から一周期分を順に示した説明図。
【図６】本発明の更に別の好ましい一実施例のぜんまい解け規正機構として爪構造体が直線的に往復移動される場合において図２と同様なぜんまい解け規正機構の動作を示したもので、（ａ）〜（ｆ）は一連の解け動作の初期状態から一周期分を順に示した説明図。
【図７】本発明の更に別の好ましい一実施例のぜんまい解け規正機構が修理のために取付けられた香箱構造体を具備するムーブメントを有する本発明の更に別の好ましい一実施例の機械式時計の一部を示したもので、（ａ）は平面説明図、（ｂ）は断面説明図。
【発明を実施するための形態】
【００２８】
本発明の好ましい実施の形態のいくつかを添付図面に示した好ましい実施例に基づいて説明する。
【実施例１】
【００２９】
図１の（ａ）及び(ｂ)には、本発明の好ましい一実施例のぜんまい解け規正機構１を備えた香箱構造体２を具備するムーブメント３を有する機械式時計４の一部が示されている。
【００３０】
機械式時計４は、ぜんまい２１を備えた香箱車２０や、ぜんまい２１の自動巻機構７０や、自動巻機構７０と香箱車２０とをつなぐ角穴車３０及び関連部品からなる角穴車構造体７や前述のぜんまい解け規正機構１を有する。
【００３１】
香箱車２０は、香箱真２２と、該香箱真２２に対して相対回転可能で香箱歯車２３を備えた香箱２４と、ぜんまい２１とを備える。ぜんまい２１は、内周側端部で香箱真２２に取り付けられ、外周側端部で香箱２４に係合されている。香箱歯車２３は、運針用輪列７に結合されていて、該運針用輪列７の歯車を回転駆動する。
【００３２】
角穴車３０は、鍔部３１ａを備えた角穴ねじ３１によって香箱真２２に固定されている。３８ａは角穴ねじ３１の基端部３８のドライバ係合溝である。角穴車３０の角穴歯車３２がＡ１方向に回転されると、該角穴車３０の回転に応じて香箱真２２がＡ１方向に回転して、ぜんまい２１を巻き上げる。角穴車３０のＡ２方向回転は、角穴歯車３２の歯部３３に係合する係合突起部３４を備えた弾性片状のこばぜ３５によって禁止される。なお、こはぜ３５は、基端の地板係合部３５ｂで地板に係合されている。角穴車３０がＡ１方向に回転される際には、こはぜ３５の先端部３５ａ側の突起部３４がＢ方向に押されるので、該突起部３４がＢ方向に弾性的に逃げ、角穴歯車３２のＡ１方向回転を許容する。
【００３３】
ぜんまい２１の巻上げは、この機械式時計４では、例えば、自動巻機構７０によって行われる。自動巻機構７０は、中心軸線Ｄのまわりで往復回動可能な回転錘７１及びボールベアリング部７２と、一番伝え車７３と、つめレバー７６と、二番伝え車７８とを有する。回転錘７１の往復回動に応じて、ボールベアリング部７２の外輪歯車７２ａが往復回動され、該往復回動に応じて、外輪歯車７２ａに噛合した一番伝え車７３の一番伝え歯車部７３ａが中心軸線Ｅのまわりで往復回動される。これにより、一番伝え車７３の円柱状偏心軸７４が中心軸線Ｅのまわりで往復回動され、該偏心軸７４の基部７５の円筒状孔部７５ａに嵌合されたつめレバー７６が概ねＦ１，Ｆ２方向に往復動される。つめレバー７６のＦ１，Ｆ２方向往復動に伴いつめレバー７６の引き爪７６ａ及び押し爪７６ｂに係合された二番伝え車７８のラチェット歯車７９が中心軸線ＧのまわりでＧ１方向に回転され、該ラチェット歯車７９と一体的な二番伝え歯車７８ａもＧ１方向に回転される。その結果、二番伝え歯車７８ａに噛合した角穴歯車３２がＡ１方向に回転されて、ぜんまい２１が巻上げられる。
【００３４】
なお、巻真１２が通常位置（巻真ゼロ段目位置）にある状態で巻真１２を回して、手動巻き上げ機構１１を構成する各種部品（図示せず）を介して角穴歯車３２をＡ１方向に回すことにより、ぜんまい２１は、手動でも巻き上げられ得る。
【００３５】
ぜんまい解け規正機構１は、香箱真２２と一体的なラチェット車４０と、中心軸線ＪのまわりでＪ１，Ｊ２方向に回動可能に一番受１３に支持された爪構造体５０とを有する。
【００３６】
ラチェット車４０は、角穴車３０と同様に、角穴ねじ３１によって香箱真２２に固定されていて、香箱真２２や角穴車３０と共に中心軸線Ｃのまわりで回転可能である。ラチェット車４０は、この例では、外周に沿って等間隔に五つの歯部４１，４１，４１，４１，４１を備える。各歯部４１は、同一の形状で、概ね周方向に延びた回転許容側面４２と概ね径方向に延びた係止側面４３とを有する。
【００３７】
爪構造体５０は、基部５１と該基部５１から二又状に延びたレバー部ないし腕部５２，５３と、各腕部５２，５３の先端部の内側縁から内向きに延びた爪部５４，５５とを備える。爪部５４，５５は、夫々、概ね径方向に延びた係止面部５４ａ，５５ａと、概ね周方向に延びた回動許容面部５４ｂ，５５ｂとを備える。爪構造体５０は、一番受１３に突設された取付けピン１４に基部５１の孔部５６において摺動回転自在に嵌合され、該取付けピンないし回動ピン１４を介して、中心軸線ＪのまわりでＪ１，Ｊ２方向に回動可能に一番受１３に支持されている。なお、爪構造体５０のＪ１，Ｊ２方向回動は、一番受１３に突設された係止ピン１５，１６によって規正される。
【００３８】
爪構造体５０は、第一の動作位置（第一動作位置）Ｐ１と第二の動作位置（第二動作位置）Ｐ２との間で、中心軸線ＪのまわりでＪ１，Ｊ２方向に回動可能である。
【００３９】
ここで、第一の動作位置Ｐ１は、爪構造体５０の外側縁５０ａが係止ピン１５に当接する第一極端位置Ｐ１０とレバー部ないし腕部５３の爪部（第一爪部）５５とラチェット車４０の歯部４１との係合が丁度解除される（腕部５３の爪部５５の先端部５５ｃとラチェット車４０の歯部４１の先端部４５との係合が丁度解除される）ような爪構造体５０のＪ１，Ｊ２方向回動位置すなわち第一爪部５５の係合限界回動位置Ｐ１１（図示せず）との間の位置（回動範囲）を指す。爪構造体５０が第一動作位置Ｐ１にある場合、爪構造体５０の第一爪部５５がラチェット車４０の歯部４１と係合する。換言すれば、爪構造体５０が第一動作位置Ｐ１以外の回動位置（範囲）にある場合、爪構造体５０の第一爪部５５は、ラチェット車４０の歯部４１と係合しない。
【００４０】
一方、第二の動作位置Ｐ２は、爪構造体５０の外側縁５０ｂが係止ピン１６に当接する第二極端位置Ｐ２０とレバー部ないし腕部５２の爪部（第二爪部）５４とラチェット車４０の歯部４１との係合が丁度解除される（腕部５２の爪部５４の先端部５４ｃとラチェット車４０の歯部４１の先端部４５との係合が丁度解除される）ような爪構造体５０のＪ１，Ｊ２方向回動位置すなわち第二爪部５４の係合限界回動位置Ｐ２１（図示せず）との間の位置（回動範囲）を指す。爪構造体５０が第二動作位置Ｐ２にある場合、爪構造体５０の第二爪部５４がラチェット車４０の歯部４１と係合する。換言すれば、爪構造体５０が第二動作位置Ｐ２以外の回動位置（範囲）にある場合、爪構造体５０の第二爪部５４は、ラチェット車４０の歯部４１と係合しない。
【００４１】
なお、この例では、第一動作位置Ｐ１と第二動作位置Ｐ２とは部分的に重なっており、ラチェット車４０の歯４１がいずれの爪部５４，５５にも係合することなく回転するような状態はない。但し、所望ならば、第一爪部５５の係合限界回動位置Ｐ１１と第二爪部５４の係合限界回動位置Ｐ２１とが実際上同じ位置になるように構成されていてもよい。
【００４２】
爪構造体５０が、中心軸線ＪのまわりでＪ１方向に回動され外側縁５０ａで係止ピン１５に当接する第一極端位置Ｐ１０を含む第一の動作位置Ｐ１（例えば、図１の（ａ））を採ると、腕部５２の爪部５４が中心軸線Ｃから遠ざかる一方で、腕部５３の爪部５５が中心軸線Ｃに近付いてラチェット車４０のラチェット歯４１の回転軌跡内に入る。この状態で、ラチェット車４０がぜんまい２１の巻上げ方向Ａ１に回転されると、ラチェット車４０の歯部４１が回転許容側面４２で爪構造体５０の腕部５３の爪部５５の回動許容面部５５ｂの先端部５５ｃに当接し該先端部５５ｃに沿って変位して回転される。一方、ラチェット車４０がぜんまい２１の解け方向Ａ２に回転されると、爪構造体５０の腕部５３の爪部５５が係止面部５５ａでラチェット車４０の歯部４１の係止側面４３に当接してラチェット車４０の回転を規正すなわち禁止する。
【００４３】
これに対して、爪構造体５０が、中心軸線ＪのまわりでＪ２方向に回動され外側縁５０ｂで係止ピン１６に当接する第二極端位置Ｐ２０を含む第二の動作位置Ｐ２（例えば、後述する図２の（ｂ）参照）を採ると、腕部５３の爪部５５が中心軸線Ｃから遠ざかる一方で、腕部５２の爪部５４が中心軸線Ｃに近付いてラチェット車４０のラチェット歯４１の回転軌跡内に入る。この状態で、ラチェット車４０がぜんまい２１の巻上げ方向Ａ１に回転されると、ラチェット車４０の歯部４１が回転許容側面４２で爪構造体５０の腕部５２の爪部５４の回動許容面部５４ｂの先端部５４ｃに当接し該先端部５４ｃに沿って変位して回転される。ラチェット車４０がぜんまい２１の解け方向Ａ２に回転されると、爪構造体５０の腕部５２の爪部５４が係止面部５４ａでラチェット車４０の歯部４１の係止側面４３に当接してラチェット車４０の回転を規正すなわち禁止する。
【００４４】
なお、第一及び第二の動作位置Ｐ１，Ｐ２が部分的に重なっていてその間に空白となる爪構造体５０の回動領域がないので、爪構造体５０が、Ｊ１，Ｊ２方向の極端位置Ｐ１０，Ｐ２０の間にある場合においても爪構造体５０は第一及び第二の動作位置Ｐ１，Ｐ２のうちの少なくとも一方の動作位置を採るから、爪構造体５０のうちの腕部５２の爪部５４又は腕部５３の爪部５５がラチェット車４０のラチェット歯部４１と係合して、該ラチェット車４０のぜんまい２１の解け方向Ａ２の自由な回転を禁止することになる。
【００４５】
以上の如く構成されたぜんまい解け規正機構１を備えた香箱構造体２を具備するムーブメント３を有する機械式時計４について、ぜんまい２１の巻上の際の動作及びぜんまい２１の解け操作ないし動作について、図１の（ａ）及び（ｂ）に加えて、図３の（ａ）〜（ｆ）及び図２の（ａ）〜（ｆ）に基づいて、説明する。
【００４６】
図１の（ａ）及び図３の（ａ）に示したように、ぜんまい解け規正機構１が第一の動作位置Ｐ１のうちの第一極端位置Ｐ１０にある状態からぜんまい２１の巻上が進行するとする。ぜんまい解け規正機構１の第一の動作位置Ｐ１において、自動巻機構７０により（又は手動巻上機構１１により）角穴車３０がＡ１方向に回転されると、図３の（ｂ）に示したように、ラチェット車４０が角穴車３０と一体的にＡ１方向に回転される。このとき、爪構造体５０の爪部５５は、回動許容面部ないし側面５５ｂの先端部５５ｃで、ラチェット車４０の次のラチェット歯４１の側面４２に沿って移動して、ラチェット車４０のＡ１方向回転を許容する。ラチェット車４０がＡ１方向に回転するにつれて、ラチェット車４０のラチェット歯４１の側面４２によって爪部５５をＪ２方向に押された爪構造体５０はＪ２方向に回動される（図３の（ｃ））。爪構造体５０が最大限Ｊ２方向に回動されて外側縁５０ｂが係止ピン１６に当接する第二の動作位置Ｐ２の第二極端位置Ｐ２０に達すると（図３の（ｄ））、丁度、ラチェット車４０のラチェット歯４１の先端４５が爪部５５の先端５５ｃから外れて、ラチェット車５０の更なるＡ１方向回転が許容される。従って、ラチェット車４０が更にＡ１方向に回転されて、次のラチェット歯４１が、側面４２で、第二極端位置Ｐ２０近傍の第二動作位置Ｐ２にある爪構造体５０の爪部５４の回動許容面部ないし側面５４ｂに当接するようになる（図３の（ｅ））。ラチェット車４０が更にＡ１方向に回転すると、爪部５４に当接していたラチェット歯４１の先端部４５が爪部５４の先端部５４ｃから離れると共に爪構造体５０が第一の動作位置Ｐ１に概ね戻る（図３の（ｆ））。ラチェット車４０が更に回転すると、概ね図３の（ｂ）の状態に戻り、上述の動作が繰返される。
【００４７】
以上のように、爪構造体５０は、ラチェット車４０のＡ１方向回転を許容するので、ぜんまい２１の巻上の際の角穴車３０のＡ１方向回転に際しては、爪構造体５０は、なきに等しい。なお、図３の（ａ）〜（ｆ）は、爪構造体５０がラチェット車４０のＡ１方向回転の邪魔をしないことを示すためのもので、爪構造体５０のＪ１，Ｊ２方向回動位置や爪部５４，５５とラチェット歯４１との係合状態については、厳密なものではない。
【００４８】
次に、図１の（ａ）及び図２の（ａ）に示したように、機械式時計４のムーブメント３において、ぜんまい解け規正機構１の爪構造体５０を予め第一の動作位置Ｐ１のうちの第一極端位置Ｐ１０に設定しておいて、修理等のために、こはぜ３５の先端部３５ａをＢ方向に撓めて、こはぜ３５の突起３４と角穴歯車３２との係合を解除することによりこはぜをロック解除位置に設定して、ぜんまい２１をＡ２方向に解くとする。
【００４９】
この状態では、爪構造体５０の爪部５５が係止面部ないし側面５５ａでラチェット車４０のラチェット歯部４１の係止面４３に当接してラチェット車４０のＡ２方向回転を禁止しているので、ラチェット車４０は、回転せず、ぜんまい２１の解けが生じない。この状態で、修理技師の如き作業者が爪構造体５０をＪ２方向に回動させて第二の動作位置Ｐ２の第二極端位置Ｐ２０に設定すると、ラチェット車４０の爪４１の先端部４５が爪構造体５０の爪部５５の先端部５５ｃから外れる（図２の（ｂ））ので、ぜんまい２１のＡ２方向解け力を受けたラチェット車４０がＡ２方向に回り始める（図２の（ｃ））。ところが、動作位置Ｐ２においては、図２の（ｄ）に示したように、爪構造体５０の爪部５４が中心軸線Ｃに近接しているので、ラチェット車４０が概ね１／１０回転（（１／２）×（１／５））程度するだけで、ラチェット車４０のラチェット歯４１が爪部５４の係止面部ないし側面５４ａに側面４３で係合する。したがって、ぜんまい解け規正機構１を備えた機械式時計４では、修理のためにこはぜ３５によるぜんまい２１の巻戻し規正を解除していも、ぜんまい２１が解け初めて香箱真２２が１／１０回転程度すると、香箱真２２のＡ２方向回転が禁止されるから、香箱真２２を介して手巻輪列に及ぼされるトルク衝撃の反作用として香箱歯車につながった運針輪列に与えられるトルク衝撃が過度に大きくなる虞れがなく、運針輪列等が損傷を受ける虞れを最低限に抑え得る。
【００５０】
次に、この状態で、修理技師の如き作業者が爪構造体５０をＪ１方向に回動させて第一の動作位置Ｐ１に設定すると、ラチェット車４０の爪４１の先端部４５が爪構造体５０の爪部５４の先端部５４ｃから外れる（図２の（ｅ））ので、ぜんまい２１のＡ２方向解け力を受けたラチェット車４０がＡ２方向に回って、係止側面４３で爪部５５の係止面部５５ａに当接し、ラチェット車４０の回転が再度禁止される第一の動作位置Ｐ１を採る（図２の（ｆ）であって、図２の（ａ）の初期状態（第一極端位置Ｐ１０）と概ね同様）。
【００５１】
この場合も、ラチェット車４０及び香箱真２２のＡ２方向回転が、概ね１／１０回転（（１／２）×（１／５））程度で規正されるので、修理のためにこはぜ３５によるぜんまい２１の巻戻し規正を解除しても、ぜんまい２１が解け初めて香箱真２２が１／１０回転程度すると、香箱真２２のＡ２方向回転が禁止されるから、香箱真２２が過度に高い回転速度に達する虞れがなく、香箱真２２を介して手巻輪列に及ぼされるトルク衝撃の反作用として香箱歯車につながった運針輪列に与えられるトルク衝撃が過度に大きくなる虞れがなく、運針輪列等が損傷を受ける虞れを最低限に抑え得る。
【００５２】
この後、爪構造体５０をＪ２方向に回動させ、次に、Ｊ１方向に回動させて図２の（ｂ）の状態に移ることを繰返すことによって、ぜんまい２１を徐々に且つ簡単に解き得る。なお、ラチェット車４０の回転は素早く行われるので、操作者は、単に、爪構造体５０を往復回動させればよい。
【００５３】
なお、所望ならば、爪構造体５０と一番受１３の如き支持基板との間に、Ｊ１方向及びＪ２方向のうちのいずれか一方に爪構造体５０を回動変位させるばねの如き弾性偏倚部材を設けておいてもよい。その場合、操作者は、爪構造体５０を弾性偏倚部材による偏倚力に抗する向きに移動させて離すことを繰返せばよいので、操作がより簡単になる。
【００５４】
ラチェット車のラチェット歯の数は、典型的には奇数個であることが好ましく、例えば、図４の（ａ）〜（ｆ）に示したように、ラチェット車４０Ａは、三つのラチェット歯４１Ａを備えていてもよい。図４の時計４Ａのムーブメント３Ａの香箱構造体２Ａのぜんまい解け規正機構１Ａにおいて、図１〜図３に示した時計４のムーブメント３の香箱構造体２のぜんまい解け規正機構１の要素と同一の要素には同一の符号を付し、対応するけれども異なるところのある要素には、同一の符号の最後に添字Ａを付してある。
【００５５】
なお、ぜんまい２１の巻上方向に関するラチェット車４０Ａの回転、すなわちラチェット車４０ＡのＡ１方向回転についていえば、Ａ１方向に一方向回転が許容され得るような形状をラチェット歯４１Ａが有する限り、ラチェット車４０Ａの歯の数には依存しないことは明らかであるので、ラチェット車４０ＡについてＡ１方向回転に関する説明は省く。
【００５６】
ぜんまい解け規正機構１Ａでは、ラチェット車４０Ａが周方向に等間隔に三つのラチェット歯４１Ａ，４１Ａ，４１Ａを有する点を除いて、ラチェット車４０を備えたぜんまい解け規正機構１と実際上同様に構成されている。ラチェット車４０Ａの各ラチェット歯４１Ａは、ラチェット車４０の各ラチェット歯４１と実際上同一の形状を有し、各ラチェット歯４１の回転許容側面４２及び係止側面４３と同様な回転許容側面４２Ａ及び係止側面４３Ａを有する。ラチェット車４０Ａの場合、周方向に隣接するラチェット歯４１Ａ，４１Ａの間に、ラチェット車４０Ａの円筒状周面の一部（部分円筒状周面部）４５が比較的長い範囲に延びている。
【００５７】
ぜんまい解け規正機構１Ａの爪構造体５０が第一の動作位置Ｐ１のうちの第一極端位置Ｐ１０にある状態の機械式時計４Ａにおいて、修理等のために、図1のこはぜ３５の先端部３５ａをＢ方向に撓めて、こはぜ３５の突起３４と角穴歯車３２との係合を解除すると、ぜんまい２１の解けに従って香箱真２２がＡ２方向に回転し、中心軸線Ｃに近接する位置にある爪部５５の係止面部５５ａに、ラチェット歯４１Ａが係止側面４３Ａで当たってラチェット車４０Ａの回転が規正される（図４の（ａ））。この状態では、爪構造体５０の爪部５５が係止面部５５ａでラチェット車４０Ａのラチェット歯部４１Ａの係止側面４３Ａに当接してラチェット車４０ＡのＡ２方向回転を禁止しているので、ラチェット車４０Ａは、回転せず、ぜんまい２１の解けが生じない。
【００５８】
この状態で、修理技師の如き作業者が爪構造体５０をＪ２方向に回動させて第二の動作位置Ｐ２の第二極端位置Ｐ２０に設定すると、ラチェット車４０Ａの爪４１Ａの先端部４５Ａが爪構造体５０の爪部５５の先端部５５ｃから外れる（図４の（ｂ））ので、ぜんまい２１のＡ２方向解け力を受けたラチェット車４０ＡがＡ２方向に回り始める（図４の（ｃ））。動作位置Ｐ２においては、図４の（ｄ）に示したように、爪構造体５０の爪部５４が中心軸線Ｃに近接しているので、ラチェット車４０Ａが概ね１／６回転（（１／２）×（１／３））程度するだけで、ラチェット車４０Ａのラチェット歯４１Ａが爪部５４の係止面部５４Ａに側面４３Ａで係合する。
【００５９】
次に、この状態で、修理技師の如き作業者が爪構造体５０をＪ１方向に回動させて第一の動作位置Ｐ１に設定すると、ラチェット車４０Ａの爪４１Ａの先端部４５Ａが爪構造体５０の爪部５４の先端部５４ｃから外れる（図４の（ｅ））ので、ぜんまい２１のＡ２方向解け力を受けたラチェット車４０ＡがＡ２方向に回って、係止側面４３Ａで爪部５５の係止面部５５ａに当接し、ラチェット車４０Ａの回転が再度禁止される（図４の（ｆ））。次に、Ｊ２方向に回動させると図４の（ｂ）の状態に戻り、それ以後、同様な動作が繰返される。
【００６０】
以上の通り、ぜんまい解け規正機構１Ａを備えた機械式時計４Ａにおいても、修理のためにこはぜ３５によるぜんまい２１の巻戻し規正を解除しても、爪構造体５０のＪ１，Ｊ２方向回動に応じて、ぜんまい２１の解けに伴って香箱真２２が１／６回転程度すると、香箱真２２のＡ２方向回転が禁止されるから、香箱真２２が過度に高い回転速度に達する虞れがなく、香箱真２２を介して手巻輪列に及ぼされるトルク衝撃の反作用として香箱歯車につながった運針輪列に与えられるトルク衝撃が過度に大きくなる虞れがなく、運針輪列等が損傷を受ける虞れを最低限に抑え得ること自体は、ぜんまい解け規正機構１の場合と同様である。また、ラチェット車４０Ａの回転は素早く行われるので、操作者は、単に、爪構造体５０を往復回動させればよいことも、ぜんまい解け規正機構１の場合と同様である。
【００６１】
なお、ラチェット車のラチェット歯の数が奇数個である場合には、例えば、一つであってもよい。その場合でも、爪構造体５０が第一の動作位置Ｐ１に位置する場合には、爪部５５がラチェット歯に係合してラチェット車の回転を規正し得、爪構造体５０を第一の動作位置Ｐ１から第二の動作位置Ｐ２に変位させる場合、爪構造体５０が第一の動作位置Ｐ１から外れるとラチェット車が回転し始めるけれども、その際には、第二の動作位置Ｐ２に入っているので、爪部５５によるラチェット車の規正が解除されると同時に爪部５４がラチェット歯の係止可能位置に設定されて半回転してくるラチェット歯に係合してラチェット車の回転を規正する。この規正解除及び規正動作は、爪構造体５０を第二の動作位置Ｐ２から第一の動作位置Ｐ１に変位させる場合も同様であり、爪構造体５０の第一及び第二の動作位置Ｐ１，Ｐ２間での変位に応じて、ぜんまい２１の瞬間的な解けを生じさせることなく、ぜんまい２１の解けを少しずつ進行させ得る。但し、ラチェット歯の数が一つである場合には、半回転するので、加速及び減速が急激になって運針輪列等に与えるトルク衝撃が大きくなり易いから、ラチェット歯の数が奇数である場合には、歯が三つ以上であることが好ましい。
【００６２】
ぜんまい解け規正機構を構成する爪構造体の二つの爪部の相対配置（係止面の相対角度）を歯部の個数に応じて変更しないと第一及び第二の動作位置間における動作が多少対称的でなくなる虞れがあるけれども、ラチェット車のラチェット歯の数は、偶数個であってもよい（ラチェット歯の数が四つ以上の偶数個である場合には爪構造体の二つの爪部の相対配置（係止面の相対角度）を歯部の個数に応じて変更すれば第一及び第二の動作位置間における動作を実際上対称にし得る）。例えば、図５の（ａ）〜（ｆ）に示したように、ラチェット車４０Ｂは、四つのラチェット歯４１Ｂを備えていてもよい。その代わりに、ラチェット歯の数は、所望ならば、二つでも、六つ以上でもよい。図５の時計４Ｂのムーブメント３Ｂの香箱構造体２Ｂのぜんまい解け規正機構１Ｂにおいて、図１〜図３に示した時計４のムーブメント３の香箱構造体２のぜんまい解け規正機構１の要素と同一の要素には同一の符号を付し、対応するけれども異なるところのある要素には、同一の符号の最後に添字Ｂを付してある。
【００６３】
ぜんまい解け規正機構１Ｂでは、ラチェット車４０Ｂが周方向に等間隔に四つのラチェット歯４１Ｂ，４１Ｂ，４１Ｂ，４１Ｂを有する点を除いて、ラチェット車４０を備えたぜんまい解け規正機構１と実際上同様に構成されている。ラチェット車４０Ｂの各ラチェット歯４１Ｂも、ラチェット車４０の各ラチェット歯４１と実際上同一の形状を有し、各ラチェット歯４１の回転許容側面４２及び係止側面４３と同様な回転許容側面４２Ｂ及び係止側面４３Ｂを有する。ラチェット車４０Ｂの場合、周方向に隣接するラチェット歯４１Ｂ，４１Ｂの間に、ラチェット車４０Ｂの円筒状周面の一部（部分円筒状周面部）４５がある程度長い範囲（ラチェット車４０Ａの部分円筒状周面部よりも多少短いけれども）で延びている。
【００６４】
ぜんまい解け規正機構１Ｂの爪構造体５０が第一の動作位置Ｐ１の第一極端位置Ｐ１０にある状態の機械式時計４Ｂにおいて、修理等のために、図1のこはぜ３５の先端部３５ａをＢ方向に撓めて、こはぜ３５の突起３４と角穴歯車３２との係合を解除すると、ぜんまい２１の解けに従って香箱真２２がＡ２方向に回転し、中心軸線Ｃに近接する位置にある爪部５５の係止面部５５ａに、ラチェット歯４１Ｂが係止側面４３Ｂで当たってラチェット車４０Ｂの回転が規正される（図５の（ａ））。
【００６５】
この状態で、修理技師の如き作業者が爪構造体５０をＪ２方向に回動させて第二の動作位置Ｐ２の第二極端位置Ｐ２０に設定すると、ラチェット車４０Ｂの爪４１Ｂの先端部４５Ｂが爪構造体５０の爪部５５の先端部５５ｃから外れる（図５の（ｂ））ので、ぜんまい２１のＡ２方向解け力を受けたラチェット車４０ＢがＡ２方向に回り始める（図５の（ｃ））。動作位置Ｐ２においては、図５の（ｄ）に示したように、爪部５４，５５の係止面部５４ａ，５５ａのなす角度が１８０度よりも少し（例えば、３０度程度）小さくて爪構造体５０の爪部５４が中心軸線Ｃに近接しているから、ラチェット車４０Ｂが１／４回転の数分の１程度（１／４〜１／３）回転するだけで、ラチェット車４０Ｂのラチェット歯４１Ｂが爪部５４の係止面部５４ａに側面４３Ｂで係合する。
【００６６】
次に、この状態で、修理技師の如き作業者が爪構造体５０をＪ１方向に回動させて第一の動作位置Ｐ１に設定すると、ラチェット車４０Ｂの爪４１Ｂの先端部４５Ｂが爪構造体５０の爪部５４の先端部５４ｃから外れる（図４の（ｅ））ので、ぜんまい２１のＡ２方向解け力を受けたラチェット車４０Ｂが、１／４回転の２／３〜３／４程度Ａ２方向に回って、係止側面４３Ｂで爪部５５の係止面部５５ａに当接し、ラチェット車４０Ｂの回転が再度禁止されて元の状態に戻り、それ以後、同様な動作が繰返される（図５の（ｆ）及び（ａ））。
【００６７】
なお、この例の場合、爪部５４，５５の係止面部５４ａ，５５ａのなす角度が１３５度程度であれば、ぜんまい解け規正機構１Ｂを構成する爪構造体５０の第一及び第二の動作位置Ｐ１，Ｐ２間における動作が実際上対称的になる。
【００６８】
ぜんまい解け規正機構１Ｂを備えた機械式時計４Ｂにおいても、修理のためにこはぜ３５によるぜんまい２１の巻戻し規正を解除しても、爪構造体５０のＪ１，Ｊ２方向回動に応じて、ぜんまい２１の解けに伴って香箱真２２が１／４回転の１／４〜３／４程度回転すると、香箱真２２のＡ２方向回転が禁止されるので、香箱真２２が過度に高い回転速度に達する虞れがなく、運針輪列等に過度なトルク衝撃を与える虞れがないから、運針輪列等が損傷を受ける虞れを最低限に抑え得ること自体は、ぜんまい解け規正機構１の場合と同様である。また、ラチェット車４０Ｂの回転は素早く行われるので、操作者は、単に、爪構造体５０を往復回動させればよいことも、ぜんまい解け規正機構１の場合と同様である。
【００６９】
ラチェット車のラチェット歯の数が、六つ以上の偶数であってもよい。また、爪構造体の二つの爪部の相対配置（係止面の相対角度）を選択しても第一及び第二の動作位置間における動作を実際上対称的にはし得ず、トルク衝撃が大きくなる可能性があるけれども、所望ならば、ラチェット車のラチェット歯の数は、二つであってもよい。
【００７０】
弾性部材によって、第一及び第二の動作位置Ｐ１，Ｐ２のいずれか一方の位置に変位させていおいてもよいことは、ぜんまい解け規正機構１，１Ａの場合と同様である。
【００７１】
爪構造体が第一及び第二の動作位置を採り得る限り、爪構造体が第一の動作位置Ｐ１と第二の動作位置Ｐ２との間で中心軸線ＪのまわりでＪ１，Ｊ２方向に回動される代わりに、図６の（ａ）〜（ｆ）に示したように、爪構造体５０Ｄが、第一の動作位置ＰＤ１のうちの第一の極端位置ＰＤ１０と第二の動作位置ＰＤ２のうちの第二の極端位置ＰＤ２０との間で、ＪＤ１，ＪＤ２方向に直線的に移動（並進）されるように構成されていてもよい。
【００７２】
図６の時計４Ｄのムーブメント３Ｄの香箱構造体２Ｄのぜんまい解け規正機構１Ｄにおいて、図１〜図３に示した時計４のムーブメント３の香箱構造体２のぜんまい解け規正機構１の要素と同一の要素には同一の符号を付し、対応するけれども異なるところのある要素には、同一の符号の最後に添字Ｄを付してある。
【００７３】
ぜんまい解け規正機構１Ｄでは、爪構造体５０Ｄが基部５１Ｄに直線状の長孔５６Ｄを備え、該長孔５６Ｄにおいて、一番受１３から突設された案内ピン１５Ｄ，１６Ｄに遊嵌されて、ＪＤ１，ＪＤ２方向に直線的に案内され直線的に往復動可能である。爪構造体５０Ｄの第一の動作位置ＰＤ１の第一極端位置ＰＤ１０においては、案内ピン１５Ｄが長孔５６Ｄの一方の端部５６Ｄａに当接し、第二の動作位置ＰＤ２の第二極端位置ＰＤ２０においては、案内ピン１５Ｄが長孔５６Ｄの他方の端部５６Ｄｂに当接する。
【００７４】
ぜんまい解け規正機構１Ｄの爪構造体５０Ｄが第一の動作位置ＰＤ１の第一極端位置ＰＤ１０にある状態の機械式時計４Ｄにおいて、修理等のために、図1のこはぜ３５の先端部３５ａをＢ方向に撓めて、こはぜ３５の突起３４と角穴歯車３２との係合を解除すると、ぜんまい２１の解けに従って香箱真２２がＡ２方向に回転し、中心軸線Ｃに近接する位置にある爪部５５Ｄの係止面部５５Ｄａに、ラチェット歯４１が係止側面４３で当たってラチェット車４０の回転が規正される（図６の（ａ））。
【００７５】
この状態で、修理技師の如き作業者が爪構造体５０ＤをＪＤ２方向に並進（平行移動）させて第二の動作位置ＰＤ２の第二極端位置ＰＤ２０に設定すると、ラチェット車４０の爪４１の先端部４５が爪構造体５０Ｄの爪部５５Ｄの先端部５５Ｄｃから外れる（図６の（ｂ））ので、ぜんまい２１のＡ２方向解け力を受けたラチェット車４０がＡ２方向に回って、ラチェット車４０のラチェット歯４１が爪部５４Ｄの係止面部ないし側面５４Ｄａに側面４３で係合して回転が規正される（図６の（ｃ））。
【００７６】
次に、この状態で、修理技師の如き作業者が爪構造体５０ＤをＪＤ１方向に並進（平行移動）させて第一の動作位置ＰＤ１の第一極端位置ＰＤ１０に向かって移動させると、ラチェット車４０の爪４１の先端部４５が爪構造体５０Ｄの爪部５４Ｄの先端部５４Ｄｃに達し（図６の（ｄ））、該爪部５４Ｄの先端部５４Ｄｃから外れる（図６の（ｅ））ので、ぜんまい２１のＡ２方向解け力を受けたラチェット車４０が、Ａ２方向に回って、係止側面４３で爪部５５Ｄの係止面部５５Ｄａに当接し、ラチェット車４０の回転が再度禁止される（図６の（ｆ））。次に、爪構造体５０ＤをＪＤ２方向に移動させると、図６の（ｂ）の状態に戻り、それ以後、同様な動作が繰返される。
【００７７】
従って、ぜんまい解け規正機構１Ｄを備えた機械式時計４Ｄにおいても、修理のためにこはぜ３５によるぜんまい２１の巻戻し規正を解除した場合でも、爪構造体５０のＪＤ１，ＪＤ２方向並進（平行移動）に応じて、ぜんまい２１の解けに伴って香箱真２２が回転すると、香箱真２２のＡ２方向回転が禁止されるので、香箱真２２が過度に高い回転速度に達する虞れがなく、運針輪列に過度のトルク衝撃を与える虞れがないから、運針輪列等が損傷を受ける虞れを最低限に抑え得ること自体は、ぜんまい解け規正機構１の場合と同様である。また、ラチェット車４０の回転は素早く行われるので、操作者は、単に、爪構造体５０Ｄを往復並進させればよいことも、ぜんまい解け規正機構１の場合と同様である。
【００７８】
以上においては、ラチェット車４０が五つの歯部４１を備える例について説明したけれども、歯部４１の数は五つ以外でもよい。また、以上においては、爪構造体５０Ｄが直線的に往復動される例について説明したけれども、所望ならば、長孔５６Ｄが直線的である代わりに、多少であれば、湾曲していてもよい。
【００７９】
以上においては、ぜんまい解け規正機構が香箱に組込まれてなる香箱構造体について説明したけれども、図７の（ａ）及び（ｂ）に示したように、ぜんまい解け規正機構１Ｆが香箱に着脱可能になっていてもよい。
【００８０】
図７の（ａ）及び（ｂ）には、本発明の別の好ましい一実施例のぜんまい解け規正機構１Ｆが修理のために取付けられた香箱構造体２Ｆを具備するムーブメント３Ｆを有する機械式時計４Ｆの一部が示されている。この例では、修理後、ぜんまい解け規正機構１Ｆは取外される。
【００８１】
このぜんまい解け規正機構１Ｆでは、ラチェット車４０Ｆが中央孔部４７の内周に雌ねじ部４８を有する。香箱構造体２Ｆでは、角穴ねじ３１Ｆが、ドライバ係合溝３８ａのある基端部３８の外周に基端側雄ねじ部３８ｂを備え、該基端側雄ねじ部３８ｂに、ラチェット車４０Ｆが雌ねじ部４８で取外し可能に螺着される。
【００８２】
また、一番受１３には、回動ピン１４Ｆが突設されており、該ピン１４Ｆに、係合穴部５６を備える爪構造体５０Ｆが着脱可能に嵌合される。なお、爪構造体５０Ｆがピン１４Ｆから抜け難いように、ねじその他の着脱可能な手段で、抜け止めするようになっていてもよい。
【００８３】
以上の如き構成を有する機械式時計４Ｆでは、修理のためにぜんまい２１を解く場合、必要に応じて時計部品の一部を取外した後（図７の（ａ）の例では、自動巻機構７０を構成する部品の大半のものを取外している）、角穴ねじ３１Ｆの露出した基端部３８の雄ねじ部３８ｂにラチェット車４０Ｆを雌ねじ部４８で螺着し、更に、レバー部５２，５３の先端の爪部５４，５５がラチェット車４０Ｆの歯部４１に係合可能なように一番受１３の回動ピン１４Ｆに爪構造体５０Ｆを孔部５６で嵌合させることにより、ぜんまい解け規正機構１Ｆが、香箱構造体２Ｆに組付ける。
【００８４】
図７の（ａ）及び（ｂ）に示したような組付けが完了した状態は、動作上は図１の（ａ）及び（ｂ）の状態と同様であり、こはぜ３５の先端部３５ａをＢ方向に撓めて該こはぜ３５の係合突起部３４と角穴歯車３２の歯部３３との係合を解除することにより、ぜんまい２１を少しずつ解き得ることは、図２の（ａ）〜（ｆ）等を参照して、ぜんまい解け規正機構１について説明したのと同様である。巻上の邪魔にならないことも同様である。
【００８５】
修理が完了したら、爪構造体５０Ｆを一番受１３から外し、ラチェット車４０Ｆを角穴ねじ３１Ｆから外せばよい。
【符号の説明】
【００８６】
１，１Ａ，１Ｂ，１Ｆ  ぜんまい解け規正機構
２，２Ａ，２Ｂ，２Ｆ  香箱構造体
３，３Ａ，３Ｂ，３Ｆ  ムーブメント
４，４Ａ，４Ｂ，４Ｆ  機械式時計
７  運針用輪列
１１  手動巻上機構
１２  巻真
１３  一番受
１４  取付けピン
１４Ｆ  回動ピン
１５，１６  係止ピン
１５Ｄ，１６Ｄ  案内ピン
２０  香箱車
２１  ぜんまい
２２  香箱真
２３  香箱歯車
２４  香箱
３０  角穴車
３１，３１Ｆ  角穴ねじ
３１ａ  鍔部
３２  角穴歯車
３３  歯部
３４  係合突起部
３５  こはぜ
３５ａ  先端部
３５ｂ  地板係合部
３８  基端部
３８ａ  ドライバ係合溝
３８ｂ  基端側雄ねじ部
４０，４０Ａ，４０Ｂ，４０Ｆ  ラチェット車
４１，４１Ａ，４１Ｂ  歯部
４２，４２Ａ，４２Ｂ  回転許容側面
４３，４３Ａ，４３Ｂ  係止側面
４５  部分円筒状面
４７  中央孔部
４８  雌ねじ部
５０，５０Ｄ，５０Ｆ  爪構造体
５０ａ，５０ｂ  外側縁部
５１，５１Ｄ  基部
５２，５２Ｄ  レバー部（腕部）
５３，５３Ｄ  レバー部（腕部）
５４，５４Ｄ，５５，５５Ｄ  爪部
５４ａ，５４Ｄａ，５５ａ，５５Ｄａ  係止面部
５４ｂ，５４Ｄｂ，５５ｂ，５５Ｄｂ  回動許容面部
５４ｃ，５４Ｄｃ，５５ｃ，５５Ｄｃ  先端部
５６  孔部
５６Ｄ  長孔
５６Ｄａ，５６Ｄｂ  端部
７０  自動巻機構
７１  回転錘
７２  ボールベアリング部
７２ａ  外輪歯車
７３  一番伝え車
７３ａ  一番伝え歯車部
７４  円柱状偏心軸
７５  基部
７５ａ  円柱状孔部
７６  つめレバー
７６ａ  引き爪
７６ｂ  押し爪
７８  二番伝え車
７８ａ  二番伝え歯車
７９  ラチェット歯車
Ａ１，Ａ２，Ｇ１  回転方向
Ｂ  方向
Ｃ，Ｄ，Ｅ，Ｇ，Ｊ  中心軸線
Ｆ１，Ｆ２，Ｊ１，Ｊ２  回動方向
ＪＤ１，ＪＤ２  並進方向
Ｐ１，ＰＤ１  第一の動作位置
Ｐ１０，ＰＤ１０  第一極端位置
Ｐ１１  第一爪部の係合限界回動位置
Ｐ２，ＰＤ２  第二の動作位置
Ｐ２０，ＰＤ２０  第二極端位置
Ｐ２１  第一爪部の係合限界回動位置
【図１】
2013178157.tif 000003
【図２】
2013178157.tif 000004
【図３】
2013178157.tif 000005
【図４】
2013178157.tif 000006
【図５】
2013178157.tif 000007
【図６】
2013178157.tif 000008
【図７】
2013178157.tif 000009